(57)【要約】【課題】  電源投入時、チャンネル設定時あるいはチャンネル切替時に発生するスプリアス妨害を防止する。【解決手段】  中間周波信号を何れかのチャンネルのテレビジョン信号に変換する周波数変換回路２９と、周波数変換回路２９に設けられた局部発振器２８を制御してテレビジョン信号の周波数を設定するＰＬＬ回路３０とを備え、周波数変換回路２９と出力端子３６との間には、通過帯域が互いに異なる複数のフィルタ３５を並設すると共に、各フィルタ３５に開閉手段３５ｓを直列に介挿し、電源投入時からＰＬＬ回路３０によるチャンネル設定時までの間と、ＰＬＬ回路３０によるチャンネル設定時又は／及びＰＬＬ回路３０によるチャンネル切替時から少なくともＰＬＬ回３０がロックするまでの間とで開閉手段３５ｓの全てを切断状態にした。【選択図】        図１
2005303420.tif 000002
【特許請求の範囲】
【請求項１】
少なくとも映像信号を有する中間周波信号を何れかのチャンネルのテレビジョン信号に変換すると共に前記テレビジョン信号を出力端子に出力する周波数変換回路と、前記周波数変換回路に設けられた局部発振器を制御して前記テレビジョン信号の周波数を設定するＰＬＬ回路とを備え、前記周波数変換回路と前記出力端子との間には、通過帯域が互いに異なる複数のフィルタを並設すると共に、前記各フィルタに開閉手段を直列に介挿し、電源投入時から前記ＰＬＬ回路によるチャンネル設定時までの間と、前記ＰＬＬ回路によるチャンネル設定時又は／及び前記ＰＬＬ回路によるチャンネル切替時から少なくとも前記ＰＬＬ回がロックするまでの間とで前記開閉手段の全てを切断状態にしたことを特徴とするテレビジョン信号送信機。
【請求項２】
前記ＰＬＬ回路のロック後に１つの前記開閉手段を接続状態にしたことを特徴とする請求項１に記載のテレビジョン信号送信機。
【請求項３】
前記ＰＬＬ回路はロック時にロック検出信号を出力するロック検出端子を有し、前記ロック検出信号によって前記１つの開閉手段を接続状態にしたことを特徴とする請求項２に記載のテレビジョン信号送信機。
【請求項４】
前記周波数変換手段の後段側には、前記テレビジョン信号を出力するための出力端子と前記周波数変換回路との間に前記テレビジョン信号の出力レベルを設定するための減衰回路を設け、電源投入時から前記ＰＬＬ回路によるチャンネル設定時までの間と、前記ＰＬＬ回路によるチャンネル設定時又は／及び前記ＰＬＬ回路によるチャンネル切替時から少なくとも前記ＰＬＬ回がロックするまでの間とで前記減衰回路をミュート状態にしたことを特徴とする請求項１乃至３の何れかに記載のテレビジョン信号送信機。
【発明の詳細な説明】
【技術分野】
【０００１】
本発明は、ＣＡＴＶ（ケーブルテレビ）システム等に使用されるテレビジョン信号送信機に関する。
【背景技術】
【０００２】
図４及び図５を参照して従来のテレビジョン信号送信機を説明する。先ず、図４において、中間周波回路１からは映像信号Ｖを含む第一の中間周波信号（例えば、４５ＭＨｚ）が出力される。第一の中間周波信号は、減衰回路２を介して第一の混合回路３に入力され、この第一の混合回路３において、第一の局部発振回路４からの発振信号と混合されることによってほぼ１．１ＧＨｚの第２の中間周波信号に周波数変換される。第一の混合回路３と第一の局部発振回路４とによって第一の周波数変換回路５を構成している。第一の局部発振回路４は図示しないＰＬＬによって制御される。なお、減衰回路２は、可変減衰回路で構成される。
【０００３】
第一の混合回路３からの第２の中間周波信号は、バンドパスフィルタ６を通過した後に第２中間周波増幅回路７で所定のレベルに増幅され、第２の混合回路８に入力され、この第２の混合回路８において第２の局部発振回路９からの発振信号と混合されて第３の中間周波信号に周波数変換される。第２の混合回路８と第２の局部発振回路９とによって第２の周波数変換回路１０を構成している。第２の局部発振回路９も図示しないＰＬＬ回路によって制御される。
【０００４】
なお、第３の中間周波信号は、テレビジョン信号として図示しないケ−ブルを介してＣＡＴＶシステムの加入者に送信されるが、その周波数は、送信する番組毎に異なり、ほぼ５０ＭＨｚから１ＧＨｚまでの間に設定されている各チャンネルの周波数のいずれかに合わせるように第２の局部発振回路９の発振周波数がＰＬＬ回路によって設定されている。そして、第２の混合回路８から出力される第３の中間周波信号は、第３中間周波増幅回路１１、１２で所定の利得を与えられた後、バンド切替型のバンドパスフィルタ１３、出力増幅回路１４を介して導出され、図示しない混合回路において、他のテレビジョン送信回路から同様に導出された第３の中間周波信号（テレビジョン信号）と混合されて図示しないケ−ブルに送られるようになっている（例えば、特許文献１参照。）。
【０００５】
【特許文献１】特開平１０−３０４２５７号公報（図１）
【０００６】
また、図５は、図４におけるバンド切替型のバンドパスフィルタ１３の構成を示す。このバンドパスフィルタ１３は、並設された複数のバンドパスフィルタ４３（４３ａ、４３ｂ、、）を有し、各バンドパスフィルタ４３ａ、４３ｂ、、の通過帯域の周波数は互いに異なっており、しかも、複数チャンネルのテレビジョン信号を通過し得るように数十ＭＨｚの通過帯域幅を有している。
【０００７】
また、各バンドパスフィルタ４３の入力側と出力側とには、開閉手段４４（４４ａ、４４ｂ、、）と４５（４５ａ、４５ｂ、、）とがそれぞれ接続される。そして、通常は特定のバンドパスフィルタ４３に接続された開閉手段４４、４５のみが接続状態となり、そのバンドパスフィルタ４３を通してテレビ信号が出力される（例えば、特許文献２参照。）。
【０００８】
【特許文献２】特開２０００−７８５５４号公報（図２）
【発明の開示】
【発明が解決しようとする課題】
【０００９】
上記のテレビジョン信号送信機では、電源が供給されてＰＬＬ回路を含む各回路の動作が立ち上がる過程で局部発振回路が任意の周波数で発振を開始してその発振周波数は不特定の周波数（通常は最高周波数）まで変化する。また、ＰＬＬ回路によって送信チャンネルを設定するために局部発振回路の発振周波数が設定された場合や送信チャンネルの変更のために発振周波数を切り替えると、発振周波数はそれまでの発振周波数から設定された発振周波数まで変化する。従って、最終的な発振周波数に落ち着くまでの間は、局部発振回路は不要な発振信号を出力するので、これがケーブルを介して他の家庭の受像機に入力されてスプリアス妨害を引き起こすという問題がある。
【００１０】
本発明は、このような、電源投入時、チャンネル設定時あるいはチャンネル切替時に問題となるスプリアス妨害を防止することを目的とする。
【課題を解決するための手段】
【００１１】
本発明は、上記課題を解決するため、少なくとも映像信号を有する中間周波信号を何れかのチャンネルのテレビジョン信号に変換すると共に前記テレビジョン信号を出力端子に出力する周波数変換回路と、前記周波数変換回路に設けられた局部発振器を制御して前記テレビジョン信号の周波数を設定するＰＬＬ回路とを備え、前記周波数変換回路と前記出力端子との間には、通過帯域が互いに異なる複数のフィルタを並設すると共に、前記各フィルタに開閉手段を直列に介挿し、電源投入時から前記ＰＬＬ回路によるチャンネル設定時までの間と、前記ＰＬＬ回路によるチャンネル設定時又は／及び前記ＰＬＬ回路によるチャンネル切替時から少なくとも前記ＰＬＬ回がロックするまでの間とで前記開閉手段の全てを切断状態にした。
【００１２】
また、前記ＰＬＬ回路のロック後に１つの前記開閉手段を接続状態にした。
【００１３】
また、前記ＰＬＬ回路はロック時にロック検出信号を出力するロック検出端子を有し、前記ロック検出信号によって前記１つの開閉手段を接続状態にした。
【００１４】
また、前記周波数変換手段の後段側には、前記テレビジョン信号を出力するための出力端子と前記周波数変換回路との間に前記テレビジョン信号の出力レベルを設定するための減衰回路を設け、電源投入時から前記ＰＬＬ回路によるチャンネル設定時までの間と、前記ＰＬＬ回路によるチャンネル設定時又は／及び前記ＰＬＬ回路によるチャンネル切替時から少なくとも前記ＰＬＬ回がロックするまでの間とで前記減衰回路をミュート状態にした。
【発明の効果】
【００１５】
請求項１の発明によれば、中間周波信号を何れかのチャンネルのテレビジョン信号に変換する周波数変換回路と出力端子との間に通過帯域が互いに異なる複数のフィルタを並設すると共に、前記各フィルタに開閉手段を直列に介挿し、電源投入時からＰＬＬ回路によるチャンネル設定時までの間と、ＰＬＬ回路によるチャンネル設定時又は／及びＰＬＬ回路によるチャンネル切替時から少なくともＰＬＬ回路がロックするまでの間とで開閉手段の全てを切断状態にしたので、局部発振回路で発生している不要な発振信号は出力端子には出力されない。よって、ケーブルに接続された他の加入者のテレビ受像機でスプリアス妨害は発生しない。
【００１６】
また、請求項２の発明によれば、ＰＬＬ回路のロック後に１つの開閉手段を接続状態にしたので、テレビジョン信号をケーブルに送出できる。
【００１７】
また、請求項３の発明によれば、ＰＬＬ回路はロック時にロック検出信号を出力するロック検出端子を有し、ロック検出信号によって１つの開閉手段を接続状態にしたので、ロック後にテレビジョン信号を自動的に送出できる。
【００１８】
また、請求項４の発明によれば、テレビジョン信号の出力端子と周波数変換回路との間にテレビジョン信号の出力レベルを設定するための減衰回路を設け、電源投入時からＰＬＬ回路によるチャンネル設定時までの間と、ＰＬＬ回路によるチャンネル設定時又は／及びＰＬＬ回路によるチャンネル切替時から少なくともＰＬＬ回がロックするまでの間とで減衰回路をミュート状態にしたので、ロックされるまでの間の局部発振回路からの不要な信号は完全に出力されない。
【発明を実施するための最良の形態】
【００１９】
図１は、本発明のテレビジョン信号送信機のブロック構成を示すものであり、このテレビジョン信号送信機は、送信すべきチャンネル毎に設けられている。変調回路２１は、映像信号Ｖと音声信号Ｓとを含む第１の中間周波信号（周波数は、例えば４５ＭＨｚ）を出力して次段の自動利得制御回路２２に送る。自動利得制御回路２２は、例えば、ＰＩＮダイオードを使用した可変減衰回路２２ａと、可変減衰回路２２ａから出力される第１の中間周波信号を検波する検波回路２２ｂとを有し、検波回路２２ｂから出力される検波電圧によって可変減衰回路２２ａの減衰量を制御する。その制御範囲は数ｄＢ乃至１０数ｄＢである。これによって、自動利得制御回路２２から出力される第一の中間周波信号のレベルは一定となる。
【００２０】
また、自動利得制御回路２２の入力端における第１の中間周波信号は、第２の検波回路３７によって検波される。検波電圧（第２の検波電圧（Ｄｅｔ２））は制御手段３１に入力される。
【００２１】
自動利得制御回路２２から出力された第１の中間周波信号は、第１の混合回路２３に入力され、この第１の混合回路２３においては、第１の局部発振回路２４からの発振信号と混合されることによってほぼ１．１ＧＨｚの第２の中間周波信号に周波数変換される。第１の混合回路２３と第１の局部発振回路２４とは第１の周波数変換回路２５を構成する。なお、第１の局部発振回路２４は図示しないＰＬＬ回路によって制御される。
【００２２】
第１の混合回路２３からの第２の中間周波信号は、ほぼ６ＭＨｚの通過帯域幅を有するバンドパスフィルタ２６を通過した後に第２中間周波増幅回路（図示せず）によって増幅され、次段の第２の混合回路２７に入力される。第２の混合回路２７において、第２の局部発振回路２８からの発振信号と混合されて第３の中間周波信号に周波数変換される。第３の中間周波信号は送信用のテレビジョン信号となる。したがって、その周波数はほぼ５０ＭＨｚから１ＧＨｚまでの間に設定されている各チャンネルの周波数のいずれかに設定される。その周波数は第２の局部発振回路２８の発振周波数によって決まる。第２の混合回路２７と第２の局部発振回路２８とによって第２の周波数変換回路２９を構成する。
【００２３】
第２の局部発振回路２８はＰＬＬ回路３０によって発振周波数が制御される。発振周波数を設定するチャンネルデータ（周波数データ）Ｄは制御手段３１から供給される。また、ＰＬＬ回路３０は局部発振回路２８が、設定された発振周波数ロックしたときにロック検出信号（Ｌｏｃｋ）を出力する。このロック検出信号は制御手段３１に入力される。制御手段３１はホストマイコン３２によって制御される。
【００２４】
第３の中間周波信号は、第３中間周波増幅回路３３によって増幅された後、減衰回路３４に入力される。減衰回路３４は可変減衰回路で構成され、その減衰量は制御手段３１によって設定された値に固定される。
【００２５】
減衰回路３４の次段にはバンド選択型のバンドパスフィルタ３５が設けられる。バンドパスフィルタ３５は、図２に示すように、複数のバンドパスフィルタ３５ａ、３５ｂ、３５ｃ、、、が並設される。これらのバンドパスフィルタ３５ａ、３５ｂ、３５、、、はそれぞれ数チャンネル分のテレビジョン信号を通過するだけの帯域幅を有し、帯域幅は互いに重複しなうように異なっている。また、各バンドパスフィルタ３５ａ、３５ｂ、３５ｃ、、、の前段と後段には同一構成の開閉手段３５ｓが介挿される。
【００２６】
開閉手段３５ｓは、図３に示すように、アノード同士が相互に接続された２つのダイオードＤ１、Ｄ２と、トランジスタＴｒとを有し、一方のダイオードＤ１がテレビジョン信号の伝送経路に直列介挿され、そのカソードは図示しない共通の抵抗を介して接地される。アノードは抵抗Ｒによって電源にプルアップされ、他方のダイオードＤ２のカソードはトランジスタＴｒのコレクタに接続される。トランジスタＴｒのエミッタは接地される。したがって、トランジスタＴｒがオンすれば、他方のダイオードＤ２もオンし、一方のダイオードＤ１はオフする。また、トランジスタＴｒがオフすれば、他方のダイオードＤ２もオフし、一方のダイオードＤ１はオンする。各トランジスタＴｒのベースには制御手段３１からオン／オフ制御信号が供給される。そして、通常は、１つのバンドパスフィルタが選択されるように、その前後に設けられた開閉手段３５ｓが制御手段３１によってオンされる。
【００２７】
バンドパスフィルタ３５を通過した第３の中間周波信号（テレビジョン信号）は出力端子３６に出力される。第３の中間周波信号は、ほぼ５０ＭＨｚから１ＧＨｚまでの間に設定されている各チャンネルの周波数のいずれかに合わせるように第２の局部発振回路２８の発振周波数が設定される。出力端子３６からのテレビジョン信号は、図示しない他のテレビジョン送信機から同様に導出された第３の中間周波信号（テレビジョン信号）と混合されて図示しないケ−ブルに送られるようになっている。
また、出力端子３６から出力されるテレビジョン信号の一部は第１の検波回路３８によって検波され、検波電圧（第１の検波電圧（Ｄｅｔ１））は制御手段３１に入力される。
【００２８】
制御手段３１はマイコンによって構成され、出力チャンネル設定手段を内部に有し、この出力チャンネル設定手段から出力されるチャンネルデータ（周波数データ）ＤがＰＬＬ回路３０に供給される。これによって局部発振回路２８の発振周波数が決定される。また、内部には、第１の検波電圧及び第２の検波電圧と比較すべき基準電圧が格納されている。この基準電圧は所定の範囲を以て設定されている。そして、第２の検波電圧が基準電圧範囲から外れた場合は、制御手段３１はミュート信号（Ｍｕｔｅ２）を自動利得制御回路２２に供給し、自動利得制御回路２２は第１の中間周波信号の出力を停止する。同様に、第１の検波電圧も基準電圧範囲から外れた場合は、制御手段３１はミュート信号（Ｍｕｔｅ１）を減衰回路３４に供給し、減衰回路３４は第３の中間周波信号の出力を停止するようになっている。
【００２９】
以上の構成において、電源が投入されて各回路に電圧が印加されると各回路の動作が立ち上がり、局部発振回路３０は或る周波数で発振を開始し、時間の経過と共にその周波数は不安定に変化する。この間ではまだ、制御手段３１からＰＬＬ回路３０に対して送信すべきテレビジョン信号のチャンネルを設定するためのデータは供給されていない。また、電源投入時にはホストマイコン３２から初期化命令（Ｃ）が制御手段３１に入力される。すると、制御手段３１は、バンドパスフィルタ３５におけるトランジスタＴｒに対してオンの信号を出力する。すると、ダイオードＤ１がオフ、ダイオードＤ２がオンとなる。従って全ての開閉手段３５ｓが切断状態（オフ）となる。よって、局部発振回路２８で発生している不要な発振信号は出力端子３６には出力されないので、ケーブルに接続された他の加入者のテレビ受像機でスプリアス妨害波は発生しない。
【００３０】
また、初期化命令と同時に、制御手段３１は減衰回路３４に対してミュート信号（Ｍｕｔｅ１）を供給し、これによって減衰回路３５は第３の中間周波信号の出力を停止する。その結果、局部発振回路２８で発生している不要な発振信号は出力端子３６には完全に出力されないので、ケーブルに接続された他の加入者のテレビ受像機でスプリアス妨害は発生しない。
【００３１】
そして、制御手段３１内のチャンネル設定手段によって出力チャンネルが設定されると、局部発振回路２８はその設定された周波数で発振するように制御されて最終的な設定周波数で発振するが、その間も、トランジスタＴｒはオンの状態に保持される。また、減衰回路３４もミュート状態に保持される。よって、最終的な周波数で発振するまでの間も、出力端子３６からは局部発振回路２８で発生している不要な発振信号は出力端子３６には完全に出力されないので、ケーブルに接続された他の加入者のテレビ受像機でスプリアス妨害は発生しない。
【００３２】
そして、局部発振回路２８の発振周波数が、設定された周波数に到達すると、ＰＬＬ回路３０はロック検出信号（Ｌｏｃｋ）を出力する。すると、制御手段３１は、設定された出力チャンネルのテレビジョン信号を通過すべき１つのバンドパスフィルタに接続された開閉手段をオンするために、その開閉手段のトランジスタにオフ信号を出力する。また、減衰回路３４にはミュート解除信号を出力する。従って、設定されたチャンネルのテレビジョン信号は選択されたバンドパスフィルタを通過して出力端子３６に出力される。
【図面の簡単な説明】
【００３３】
【図１】本発明のテレビジョン信号送信機の回路図である。
【図２】本発明のテレビジョン信号送信機に使用されるバンドパスフィルタの回路図である。
【図３】本発明のテレビジョン信号送信機に使用される開閉手段の回路図である。
【図４】従来のテレビジョン信号送信機の回路図である。
【図５】従来のテレビジョン信号送信機に使用されるバンドパスフィルタの回路図である。
【符号の説明】
【００３４】
２１：
２２：自動利得制御回路
２３：第１の混合回路
２４：第１の局部発振回路
２５：第１の周波数変換回路
２６：バンドパスフィルタ
２７：第２の混合回路
２８：第２の局部発振回路
２９：第２の周波数変換回路
３０：ＰＬＬ回路
３１：制御手段
３２：ホストマイコン
３３：第３中間周波増幅回路
３４：減衰回路
３５：バンドパスフィルタ
３６：出力端子
３７：第２の検波回路
３８：第１の検波回路
【図１】
2005303420.tif 000003
【図２】
2005303420.tif 000004
【図３】
2005303420.tif 000005
【図４】
2005303420.tif 000006
【図５】
2005303420.tif 000007